(57)【特許請求の範囲】
【請求項１】
副走査方向の変倍を行うことが可能であり、読み取った原稿画像に基づき画像データを生成する原稿読み取り手段と、
前記画像データに対して主走査方向の変倍を行う変倍手段と、
前記変倍手段が変倍した画像データを出力する出力手段と、
指定された変倍率に従って前記原稿読み取り手段が副走査方向の変倍を行なって生成した画像データを前記指定された変倍率に従って前記変倍手段が主走査方向の変倍を行い前記出力手段が出力を行うジョブの履歴に関する情報であり、前記原稿読み取り手段が生成した画像データと、当該画像データの主走査方向と副走査方向の解像度を示す情報を有する属性情報とを含むジョブ履歴を記録する記録手段と、
前記指定された変倍率に基づいて、前記記録手段が記録するジョブ履歴に含まれる画像データの属性情報に含まれる主走査方向と副走査方向の解像度を異ならせて設定する解像度設定手段と、を有することを特徴とする画像処理装置。
【請求項２】
前記記録手段が記録したジョブ履歴を、外部装置へ送信する送信手段を更に備えることを特徴とする、請求項１に記載の画像処理装置。
【請求項３】
前記原稿読み取り手段は、原稿を搬送する速度を変更することで副走査方向の変倍を行うことを特徴とする、請求項１または２に記載の画像処理装置。
【請求項４】
前記出力手段は、前記記録手段が前記ジョブ履歴の記録を行った後に前記変倍手段が変倍した画像データの出力を行うことを特徴とする、請求項１乃至３のいずれか１項に記載の画像処理装置。
【請求項５】
副走査方向の変倍を行うことが可能であり、読み取った原稿画像に基づき画像データを生成する原稿読み取り手段を備える画像処理装置の制御方法であって、
前記画像データに対して主走査方向の変倍を行う変倍工程と、
前記変倍工程で変倍した画像データを出力する出力工程と、
指定された変倍率に従って前記原稿読み取り手段が副走査方向の変倍を行なって生成した画像データを前記指定された変倍率に従って前記変倍工程で主走査方向の変倍を行い前記出力工程で出力を行うジョブの履歴に関する情報であり、前記原稿読み取り手段が生成した画像データと、当該画像データの主走査方向と副走査方向の解像度を示す情報を有する属性情報とを含むジョブ履歴を記録する記録工程と、
前記指定された変倍率に基づいて、前記記録工程で記録するジョブ履歴に含まれる画像データの属性情報に含まれる主走査方向と副走査方向の解像度を異ならせて設定する解像度設定工程と、を有することを特徴とする画像処理装置の制御方法。
【請求項６】
請求項５の制御方法を前記画像処理装置に実行させるためのプログラム。
【発明の詳細な説明】
【技術分野】
【０００１】
本発明は、画像処理装置において実行されるジョブの履歴管理に関する。
【背景技術】
【０００２】
従来から、コピーや画像送信などの際に読み取った画像データや、あるいはプリントまたは受信した画像データとそのジョブの実行履歴とを記録装置に蓄積しておく画像処理装置が存在する（例えば、特許文献１参照）。このような情報を記録装置に蓄積しておくことで、いつ、誰がどのようなジョブの実行指示を行ったのかを確認することができる。
【０００３】
また一方、画像処理装置が変倍コピーを行う場合には、主走査方向の変倍に関しては、読み取った画像データをデジタル信号処理で変倍処理し、副走査方向の変倍については原稿のスキャン速度あるいは原稿搬送速度を速くして読み取ることで、主走査方向の変倍と副走査方向の変倍を実現する方法がとられている。これにより、スキャン後に必要となる変倍処理は主走査方向に対してのみとなるため、処理速度の向上と、消費する画像データ展開用メモリを小さく抑えることができる。
【先行技術文献】
【特許文献】
【０００４】
【特許文献１】特開２００６−３３０９３９号公報
【発明の概要】
【発明が解決しようとする課題】
【０００５】
しかしながら、履歴管理のために記録される画像データは、スキャナにより読み取られた画像データそのものであるため、変倍コピー時に記録される画像データには副走査方向の変倍処理しか実施されておらず、正しい画像データを記録することができない。
本発明の目的は、変倍コピー実行時にも履歴管理用の画像データを正しく記録することにある。
【課題を解決するための手段】
【０００６】
上記目的を解決するために、本発明の画像処理装置は、副走査方向の変倍を行うことが可能であり、読み取った原稿画像に基づき画像データを生成する原稿読み取り手段と、前記画像データに対して主走査方向の変倍を行う変倍手段と、前記変倍手段が変倍した画像データを出力する出力手段と、指定された変倍率に従って前記原稿読み取り手段が副走査方向の変倍を行なって生成した画像データを前記指定された変倍率に従って前記変倍手段が主走査方向の変倍を行い前記出力手段が出力を行うジョブの履歴に関する情報であり、前記原稿読み取り手段が生成した画像データと、当該画像データの主走査方向と副走査方向の解像度を示す情報を有する属性情報とを含むジョブ履歴を記録する記録手段と、前記指定された変倍率に基づいて、前記記録手段が記録するジョブ履歴に含まれる画像データの属性情報に含まれる主走査方向と副走査方向の解像度を異ならせて設定する解像度設定手段と、を有することを特徴とする。
【発明の効果】
【０００７】
本発明によれば、変倍コピー実行時に履歴管理のために記録される画像データを正しく記録することができる。
【図面の簡単な説明】
【０００８】
【図１】履歴管理システムの構成の一例を示す図である。
【図２】複合機１０１のハードウェア構成の一例を示す図である。
【図３】コピージョブにおけるジョブアーカイブログの一例を示す図である。
【図４】縮小コピー実行時の複合機１０１の処理を模式的に示した図である。
【図５】縮小コピー実行時における画像ログの記録処理の一例を示すフローチャートである。
【図６】縮小コピージョブにおけるジョブアーカイブログの一例を示す図である。
【図７】縮小コピー実行時における画像ログの記録処理の他の一例を示すフローチャートである。
【図８】縮小コピージョブにおけるジョブアーカイブログの他の一例を示す図である。
【図９】サービスプロバイダでのジョブアーカイブログの画像変換の一例を示すフローチャートである。
【図１０】スキャナ２０５の構成の一例を示す図である。
【発明を実施するための形態】
【０００９】
以下、本発明を実施するための最良の形態について、図面を用いて説明する。
＜システム概要＞
図１は、本実施形態における履歴管理システムの構成の一例を示す図である。
【００１０】
画像処理装置の一例である複合機１０１は原稿を読み取って複写したり（コピー機能）、外部のＰＣから印刷データを受信してプリントしたり（プリント機能）、原稿を読み取って外部の装置へ送信したり受信する（画像送受信機能）などの複数の機能を備える。複合機１０１がこれらの機能を用いて画像を入力或いは出力する処理をジョブという。複合機１０１はエージェントと呼ばれるプログラムを実行している。エージェントは、複合機１０１が実行したジョブで処理される画像データとジョブの履歴情報とをサービスプロバイダ１０２へ転送する機能を有している。履歴情報は、ジョブの実行を指示したユーザを特定する情報、ジョブを実行した日時、実行したジョブの種類、ジョブの設定内容などの情報を含む。以降、エージェントがサービスプロバイダ１０２へ送信する画像データを画像ログと呼び、履歴情報をジョブログと呼ぶ。そして、画像ログとジョブログからなるデータをジョブアーカイブログと呼ぶ。
【００１１】
サービスプロバイダ１０２は、ジョブアーカイブログをエージェントから受け取る。そして、サービスプロバイダ１０２は、画像ログに対して変換処理やＯＣＲ処理などを行なう。そして、サービスプロバイダ１０２は画像ログに対して処理を施した後のジョブアーカイブログをデータサーバ１０３へ送信する。
【００１２】
データサーバ１０３は、サービスプロバイダ１０２から送信されたジョブアーカイブログを保存する。データサーバ１０３は保存したジョブアーカイブログの検索機能の提供も行なう。Ｗｅｂサーバ１０４は、データサーバ１０３に蓄積されたジョブアーカイブログを検索、閲覧するためのＷｅｂアプリケーションが動作している。ユーザや管理者は、不図示のＰＣのＷｅｂブラウザでＷｅｂサーバ１０４へアクセスし、データサーバ１０３に保存されたジョブアーカイブログを参照したり検索したりすることが可能になる。１０１〜１０４の各装置がネットワーク１０５に接続されている。
図１に示すシステムによって、いつ、誰が、どのような画像に対してどのようなジョブを実行したのかを管理者などが監査することが可能になる。
【００１３】
＜複合機のハードウェア構成＞
図２は、本実施形態における複合機１０１のハードウェア構成の一例を示す図である。ＣＰＵ２０１は、ＲＯＭ２０９からＲＡＭ２０８にロードされたプログラムを実行することによって複合機１０１全体の動作を制御する。先述のエージェントと呼ばれるプログラムもＣＰＵ２０１が実行する。また、ＣＰＵ２０１は、バス２０２を介して複合機１０１内の各構成と通信を行なう。操作部２０６は、ユーザが指示を行なうための複数のキーと、ユーザに通知すべき各種情報を表示する表示部とを含む。読取装置であるスキャナ２０５は、ユーザーが原稿台にセットした原稿上の画像を読み取る。これによって得た画像データはハードディスク（ＨＤＤ）２０３やＲＡＭ２０８等に記憶される。ＨＤＤ２０３は、ハードディスクを含むハードディスクドライブであり、入力された各種情報やプログラムを記憶する。先述のエージェントと呼ばれるプログラムもＨＤＤ２０３に格納される。ジョブアーカイブログもこのＨＤＤ０２０３に一旦保存され、エージェントによって読み出されてサービスプロバイダ１０２へ送信される。スキャナ２０５は、原稿給送装置を含み、原稿給送装置にセットされた複数枚の原稿を順次原稿台上に給送し、読み取ることも可能である。さらに、スキャナ２０５は、スキャン速度あるいは原稿搬送速度を速くして読み取ることで、副走査方向の縮小変倍が可能である。画像処理部２１０は、ＲＡＭ２０８に記憶された画像データに対して、変倍、色変換などの画像処理を行なう。印刷装置であるプリンタ２０４は、入力された画像データに基づく画像を、用紙上にプリントする。ネットワークＩ／Ｆ２０７は、複合機１０１をネットワーク１０５に接続し、ネットワーク上の外部装置からのデータの受信、ネットワーク上の外部装置へのデータの送信を制御する。
【００１４】
＜スキャナ２０５の構成＞
図１０は本実施形態におけるスキャナ２０５の構成の一例を示す図である。スキャナ２０５は、原稿給送装置１と原稿読み取り装置１９によって構成されていて、原稿読み取り装置内の露光部１３と原稿とを相対的に移動させながら読み取ることにより、原稿上の情報を読み取る。
【００１５】
原稿３は原稿トレイ２にセットされる。原稿給紙ローラ４は分離パッド５と対になっていて、原稿３を１枚ずつ給送する。給送された原稿３は中間ローラ対６で更に装置内に送られ、大ローラ８と第１従動ローラ９による搬送に渡され大ローラ８を回る形で第２従動ローラ１０による搬送が行われる。大ローラ８と第２従動ローラ１０で搬送される原稿は、流し読み原稿ガラス１２と原稿ガイド板１７の間を通り、ジャンプ台１８を経て再び大ローラ８と第３従動ローラ１１により搬送される。流し読み原稿ガラス１２と原稿ガイド板１７の間では原稿ガイド板１７の部材により原稿３は流し読み原稿ガラス１２に接触する形で搬送される。大ローラ８と第３従動ローラ１１により搬送された原稿は原稿排紙ローラ対７により装置外に排出される。
【００１６】
原稿３は流し読み原稿ガラス１２上を通過する際に、露光部１３により流し読み原稿ガラス１２に接している面を露光される。露光部１３は露光する事により原稿３から反射してくる原稿画像情報をミラーユニット１４に伝達する。伝達された原稿画像情報はレンズ１５を通過し集光されてＣＣＤセンサ部１６にて電気信号として変換される。
【００１７】
原稿ガラス１２上を通過する原稿の搬送速度を変更することで、原稿搬送方向（副走査方向）の変倍率を変更することが可能になる。例えば、原稿の搬送速度を速くすることで原稿搬送方向の画像を縮小することができ、原稿の搬送速度を遅くすることで原稿搬送方向の画像を拡大することが可能になる。なお、スキャナ２０５は主走査方向については等倍で画像を読み取る。
なお、原稿と露光部１３とを相対的に移動させる他の方法として、原稿を原稿ガラス１２上にセットした状態で露光部１３を移動するようにしてもよい。この場合、露光部１３を移動する速度を変更することによって副走査方向の変倍を行うことが可能になる。
【００１８】
スキャナ２０５によって副走査方向のみが変倍された画像データは、画像処理部２１０にて主走査方向の変倍処理が行われる。これにより主走査、副走査ともに同じ倍率で変倍された画像データが生成される。
【００１９】
＜コピージョブにおけるジョブアーカイブログの記録について＞
図３は、複合機１０１が、Ａ４サイズの原稿３枚を部数２の設定でコピージョブを実行した場合に記録されるジョブアーカイブログの一例を示す図である。図３の（ａ）は画像ログであり、図３の（ｂ）はジョブログである。画像ログは、ページごとに記録され、ジョブログはジョブごとに記録される。
【００２０】
原稿１枚目に対応した画像データ３０１に対応する画像属性３０２は、ＩｍａｇｅＴｙｐｅ（画像フォーマット）３０３、Ｒｅｓｏｌｕｔｉｏｎ（解像度）３０５、ＩｍａｇｅＳｉｚｅ（画像サイズ）３０７の項目からなる。１枚目の原稿に対応する画像データの画像フォーマットはＪＰＥＧ、解像度［ｄｐｉ］はＸＹともに６００、画像サイズ［画素］はＸ＝４９６０／Ｙ＝７０４０であることを表している。以下同様に、原稿２枚目に対応した画像データ３０９とその画像属性３１０、原稿３枚目に対応した画像データ３１１とその画像属性３１２である。
【００２１】
ジョブログ３１３は、ＪｏｂＫｉｎｄ（ジョブ種）３１４、ＵｓｅｒＩＤ（ユーザＩＤ）３１６、ＳｔａｒｔＴｉｍｅ（ジョブ開始日時）３１８、ＥｎｄＴｉｍｅ（ジョブ終了日時）３２０、Ｒｅｓｕｌｔ（ジョブ実行結果）３２２、ＰａｐｅｒＣｏｕｎｔ（原稿枚数）３２４、Ｃｏｐｉｅｓ（部数）３２６、ＤｏｃｕｍｅｎｔＩＤ  （画像ログＩＤ）３２８、ＤｏｃｕｍｅｎｔＬｏｇ（画像ログの有無）３３０からなる。図３の例では、ジョブ種はＣＯＰＹ（コピー）、ユーザーＩＤは０１２３４５６７８９、ジョブ開始日時は２０１０年６月２２日１０時５分４０秒、ジョブ終了日時は２０１０年６月２２日１０時５分５０秒である。そして、ジョブ実行結果は「ＯＫ」（正常終了）、原稿枚数は３枚、出力部数は２部、画像ログＩＤ１は０００００００１、画像ログ１の有無はＹＥＳ（有り）となっている。
【００２２】
複合機１０１がコピーを実行すると、図３の（ａ）、（ｂ）に示すようなジョブアーカイブログがＨＤＤ２０３に格納される。そして複合機がジョブを実行するごとにジョブアーカイブログがＨＤＤ２０３に蓄積され、蓄積された複数のジョブアーカイブログは所定のタイミングでサービスプロバイダ１０２へ送信される。ジョブアーカイブログの記録、ジョブアーカイブログのサービスプロバイダへの送信といった処理はＣＰＵ２０１がエージェントを実行することで実現する。
【００２３】
＜縮小コピーにおけるジョブアーカイブログの記録＞
本実施形態における縮小コピー時におけるジョブアーカイブログの記録について、図４から図６を用いて説明する。
図４において、スキャナ処理部４０１は、複合機１０１においてスキャナ２０５が原稿を読み取って生成した画像データをＨＤＤ２０３へ格納するところまでの制御を司る機能部である。プリント処理部４０２は、ＨＤＤ２０３に格納された画像データをプリンタ２０４で印刷するところまでの制御を司る機能部である。画像ログ記録処理部４０３は、ＨＤＤ２０３に格納された画像データを画像ログとして記録するための機能部である。
例えば、スキャナ処理部４０１、プリント処理部４０２、画像ログ記録処理部４０３の各々は、はＨＤＤ２０３に格納されたプログラムとして実装される。また、画像ログ記録処理部４０３は先述のエージェントの一部として実装されていてもよい。
【００２４】
図４は、Ａ４サイズの原稿１枚を、部数１、５０％縮小の設定でコピーを実行する際の複合機１０１の処理を模式的に示した図である。スキャナ２０５が原稿４０４を読み取り（４０５）、スキャナ処理部４０１が画像データを生成して画像データをＲＡＭ２０８に展開する。スキャナが等倍で原稿４０４を読み取ると主走査が７０４０画素、副走査が４９６０画素の画像データとなる。ここでは５０％縮小のコピーを行うので、スキャナ２０５の画像データ４０８は、副走査方向が５０％に縮小されるように原稿４０４と露光部１３との相対速度を変更して読み取りが行われる。その結果、ＲＡＭ２０８に展開された画像データ４０８は、主走査７０４０画素、副走査２４８０画素となる。なお、本実施形態のスキャナ２０５の読み取り解像度は６００ｄｐｉであるものとし、画像データ４０８の解像度は主走査、副走査とも６００ｄｐｉである。スキャナ処理部４０１はこの画像データ４０８をＨＤＤ２０３に保存する。なお、スキャナ２０５は主走査、副走査ともに等倍で原稿４０４を読み取り、その後に画像処理によって副走査方向が５０％変倍することで画像データ４０８を生成するようにしてもよい。
【００２５】
次に、プリント処理部４０２は、先のスキャン処理部４０１がＨＤＤ２０３に保存した画像データ４０８を読み出してＲＡＭ２０８に展開する。そして、ＲＡＭ２０８に展開した画像データ４０９に対して、画像処理部２１０を用いて主走査方向に５０％縮小変倍を行い（４１０）、変倍後の画像データ４１１を再びＲＡＭ２０８に展開する。画像データ４１１の主走査方向の画像サイズは、画像データ４０９の半分の３５０７画素となっている。これにより、主走査、副走査とも５０％縮小され、等倍に対して面積比で２５％に縮小された画像データが得られる。そして、画像データ４１１をプリンタ２０４にて用紙に印字する（０４１２）。これによりコピー処理が完了する。
【００２６】
画像ログ記録処理部４０３は、ＨＤＤ２０３に保存された画像データ４０８をもとに、図３の（ａ）に相当する画像ログの記録を行う（４１３）。画像ログの記録方法について、図５を用いて説明する。
図５は、縮小コピー実行時における画像ログの記録処理の一例を示すフローチャートである。本フローチャートは複合機１０１のＣＰＵ２０１が実行する。
【００２７】
まずステップ（以下、ステップをＳと表記する）５０２では、スキャン処理部４０１がＨＤＤ２０３に保存した画像データ４０８の解像度情報を取得する。図４の例では、画像データ４０８の主走査方向（ＳｃｎＲｅｓｏＹ）および副走査方向（ＳｃｎＲｅｓｏＸ）の解像度はともに６００ｄｐｉである。次にＳ５０３へ進み、プリント処理部４０２で実施される変倍処理４１０での、その変倍率を取得する。図４の例では、主走査方向のみ５０％縮小変倍を行うため、主走査変倍率（ＰｒｎＹ）は５０％、副走査変倍率（ＰｒｎＸ）は１００％である。
【００２８】
次にＳ５０４に進み、プリント処理部４０２において変倍処理が実施されるか否かを、Ｓ５０３により得られた値（ＰｒｎＹ、ＰｒｎＸ）により判断する。変倍処理が実施されると判断した場合には、Ｓ５０５へ進み、変倍処理が実施されないと判断した場合にはＳ５０６へ進む。図４の例では、プリント処理部４０２において主走査方向に対して５０％縮小変倍を行うため、Ｓ５０５へ進むこととなる。Ｓ５０５では、画像属性に設定する解像度、即ち、図３の（ａ）における３０５を算出する。例えば、図４の例では、
主走査解像度［ｄｐｉ］：  Ｙ  ＝  ６００［ｄｐｉ］  ／  ５０［％］  ×  １００  ＝  １２００
副走査解像度［ｄｐｉ］：  Ｘ  ＝  ６００［ｄｐｉ］  ／  １００［％］  ×  １００  ＝  ６００
となる。
【００２９】
一方、Ｓ５０６ではプリント処理部４０２での変倍処理は行わないため、Ｓ５０２で取得した解像度情報（ＳｃｎＲｅｓｏＹおよびＳｃｎＲｅｓｏＸ）を変更することなく、そのままＹとＸに設定する。そしてＳ５０７において、算出したＹとＸを画像ログの画像属性に反映し、画像データとともに画像ログとしてＨＤＤ２０３に保存する。なお、ＨＤＤ２０３に保存した画像ログの画像データが、属性情報として解像度情報を保持できるような形式である場合には（例えば画像データがＪＰＥＧの場合）、そのヘッダ情報に記録されている解像度情報を算出したＹとＸで上書きしてもよい。
【００３０】
なお、本実施形態では、図５に示す処理が実行完了してから図４に示すプリント処理部４０２による処理を実行する。つまり、画像ログがＨＤＤ２０３に正しく保存されないと、プリント処理部４０２は印刷を実行しない。これにより、画像ログが正しく保存されていないにも関わらずコピー処理が実行されるということを防止することができる。
また、上記のような理由から、プリント処理部４０２で生成された主走査、副走査ともに５０％縮小変倍がなされた画像データ４１１を画像ログとしてＨＤＤ２０３に保存することはできない。よって、スキャン処理部４０１が生成した画像データ４０８に基づいて画像ログを生成する必要がある。よって図５のような処理が有用となる。
【００３１】
図６は、５０％縮小コピー実行時に記録したジョブアーカイブログの一例を示す図である。前述した図３のジョブアーカイブログとの違いは、画像属性６０２において、Ｒｅｓｏｌｕｔｉｏｎ（解像度）［ｄｐｉ］６０３がＸ＝６００、Ｙ＝１２００となっている点である。これは、プリント処理部４０２で実施される主走査方向に対する５０％縮小変倍を考慮した解像度が設定されていることによる。また、ＩｍａｇｅＳｉｚｅ（画像サイズ）［画素］６０５がＸ＝２４８０、Ｙ＝７０４０となっており、スキャン処理部４０１での副走査方向に対する５０％縮小変倍が実施されたサイズとなっていることも相違点である。
【００３２】
＜縮小コピーにおけるジョブアーカイブログの記録の他の実施形態＞
前述した縮小コピーにおけるジョブアーカイブログの記録方法は、図５に示したように、プリント処理部４０２で実施する変倍率を考慮して、画像属性の解像度を設定した。別の方法として、スキャン処理部４０１で実施した変倍率を考慮して、画像属性の解像度を設定することでも同様の効果を得ることができる。その方法を、図７を用いて説明する。
【００３３】
図７は、縮小コピー実行時における画像ログの記録処理の他の一例を示すフローチャートである。本フローチャートは複合機１０１のＣＰＵ２０１が実行する。
まずＳ７０２では、スキャン処理部４０１がＨＤＤ２０３に保存した画像データ４０８の解像度情報を取得する。図４の例では主走査方向（ＳｃｎＲｅｓｏＹ）および副走査方向（ＳｃｎＲｅｓｏＸ）ともに６００ｄｐｉである。次にＳ７０３に進み、スキャン処理部４０１で実施した変倍処理について、その変倍率を取得する。図４の例では、副走査方向のみ５０％縮小変倍を実施したため、副走査変倍率（ＳｃｎＸ）は５０％、主走査変倍率（ＳｃｎＹ）は１００％である。
【００３４】
次にＳ７０４に進み、スキャン処理部４０１において変倍処理が実施されたかどうかを、Ｓ７０３により得られた値（ＳｃｎＹ、ＳｃｎＸ）により判断する。変倍処理を実施したと判断した場合にはＳ７０５へ進み、変倍処理を実施していないと判断した場合にはステップＳ７０６へ進む。図４の例では、スキャン処理部４０１において副走査方向に対して５０％縮小変倍を行ったため、Ｓ７０５へ進むことになる。Ｓ７０５では、画像属性に設定する解像度、即ち図３（ａ）における３０５を算出する。図４の例では、
主走査解像度［ｄｐｉ］：Ｙ  ＝  ６００［ｄｐｉ］  ×  １００［％］  ／  １００  ＝  ６００
副走査解像度［ｄｐｉ］：Ｘ  ＝  ６００［ｄｐｉ］  ×  ５０［％］  ／  １００  ＝  ３００
となる。
【００３５】
一方、Ｓ７０６ではスキャン処理部４０１での変倍処理は行わなかったため、Ｓ７０２で取得した解像度情報（ＳｃｎＲｅｓｏＹおよびＳｃｎＲｅｓｏＸ）を変更することなく、そのままＹとＸに設定する。そしてＳ７０７において、算出したＹとＸを画像属性に反映し、画像データとともに画像ログとしてＨＤＤ２０３に保存する。なお、ＨＤＤ２０３に保存した画像ログの画像データが、属性情報として解像度情報を保持できるような形式である場合には（例えば画像データがＪＰＥＧの場合）、そのヘッダ情報に記録されている解像度情報を算出したＹとＸで上書きしてもよい。
【００３６】
図８は、図７のフローチャートを実行した場合における５０％縮小コピー実行時に記録したジョブアーカイブログの一例を示す図である。前述した図６のジョブアーカイブログとの違いは、画像属性８０２において、Ｒｅｓｏｌｕｔｉｏｎ（解像度）［ｄｐｉ］８０３がＸ＝３００、Ｙ＝６００となっている点である。これは、スキャン処理部４０１で実施した副走査方向に対する５０％縮小変倍を考慮した解像度が設定されていることによる。
【００３７】
＜サービスプロバイダでのジョブアーカイブログの変換処理＞
次にサービスプロバイダ１０２における処理について説明する。複合機１０１のＣＰＵ２０１が実行するエージェントは、ＨＤＤ２０３に記録されたジョブアーカイブログ（図３、図６、図８）を、サービスプロバイダ１０２へ送信する。サービスプロバイダ１０２は、必要に応じてジョブアーカイブログ内にある画像データの変換やＯＣＲ処理を行なう。
【００３８】
図９は、サービスプロバイダ１０２が実行する画像データの変換処理の一例を示すフローチャートである。本フローチャートは、サービスプロバイダ１０２の不図示のＣＰＵが実行する。なお、図９では、図６のジョブアーカイブログを例にとって説明する。
Ｓ９０２で、サービスプロバイダ１０２はジョブアーカイブログ内にある画像ログを参照し、主走査／副走査の解像度がともに所定の解像度（たとえば６００ｄｐｉ）であるか否かを判断する。例えば、所定の解像度を６００ｄｐｉとした場合、図６に示したジョブアーカイブログでは、主走査１２００ｄｐｉ、副走査６００ｄｐｉであるため、Ｓ９０３へ進む。Ｓ９０３では、画像データの主走査／副走査の解像度が所定の解像度になるように解像度変換を行う。たとえば、所定の解像度が６００ｄｐｉであるならば、主走査を６００ｄｐｉに変換する。そして、Ｓ９０４において、解像度変換以外の処理、たとえば、ＯＣＲなどの処理を実行する。そして、Ｓ９０５において、変換後の画像データをデータサーバ１０３に記録して本フローチャートを終了する。なお、Ｓ９０２における所定の解像度は、データサーバ１０３の容量や、ＯＣＲ処理の能力などに応じて適宜設定される。
【００３９】
以上、本実施形態によれば、画像ログの属性情報に設定する解像度をスキャナ２０５での変倍処理の内容に応じて適切に設定する。このように適切に解像度を設定した画像ログをサービスプロバイダへ送信することにより、サービスプロバイダが適切に解像度変換することができる。よって主走査方向と副走査方向で変倍率が異なる歪んだ画像データをデータサーバ１０３に保存してしまうことを防止することができる。
なお、本実施形態では、５０％縮小のコピージョブを例に説明したが、スキャナ２０５が変倍して原稿を読み取るジョブであれば、その倍率は５０％に限るものではないし、ジョブの種類もコピージョブに限らない。
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【符号の説明】
【００４０】
１０１  複合機
１０２  サービスプロバイダ
１０３  データサーバ
１０４  Ｗｅｂサーバ
【図１】
0005693130.tif 000002
【図２】
0005693130.tif 000003
【図３】
0005693130.tif 000004
【図４】
0005693130.tif 000005
【図５】
0005693130.tif 000006
【図６】
0005693130.tif 000007
【図７】
0005693130.tif 000008
【図８】
0005693130.tif 000009
【図９】
0005693130.tif 000010
【図１０】
0005693130.tif 000011